(57)【要約】      （修正有）【課題】簡単な方法で位置精度が高く、特定の物理的場所と結び付けた多様なサービスを行い得るシステムを提供する。【解決手段】携帯端末に記録されたプログラムを実行するか、特定のサイトにアクセスした際にサイト上のプログラムを実行するシステムにおいて、携帯端末の端子に接続可能なデバイスをさらに含み、携帯端末の端子に前記デバイスが挿入された際に、前記システムが前記デジタルデータを読み取り、前記携帯端末に記録されたプログラム及び／またはサイト上のプログラムにおいて前記デジタルデータに応じたサービスを提供する。【選択図】なし【特許請求の範囲】
【請求項１】
携帯端末に記録されたプログラムを実行するか、特定のサイトにアクセスした際にサイト上のプログラムを実行するシステムにおいて、携帯端末の端子に接続可能なデバイスをさらに含み、携帯端末の端子に前記デバイスが挿入された際に、前記システムが前記デジタルデータを読み取り、前記携帯端末に記録されたプログラム及び／またはサイト上のプログラムにおいて前記デジタルデータに応じたサービスを提供することを特徴とするシステム。
【請求項２】
前記端子が携帯端末のフォーンジャックであり、前記デジタルデータが、前記デバイスを特定する識別データである請求項１に記載のシステム。
【請求項３】
前記識別データが絶対的な位置情報と結び付けられている請求項２に記載のシステム。
【請求項４】
識別データに対応したサービスを提供するシステム、アクセス制御システム、サービス管理システム、識別データを用いたプログラム制御、識別データを用いたアイテム付与または決済／ポイントシステムである請求項１〜３のいずれかに記載のシステム。
【発明の詳細な説明】
【技術分野】
【０００１】
本発明は、携帯端末を用いたサービス提供システムに関する。
【背景技術】
【０００２】
携帯端末を用いて特定のサイトにアクセスした際に、特定のサービスを受けられるシステムは以前から知られている。例えば、特許文献１には、利用者がクーポンやチケットに関する情報を容易に入手でき、簡単に発券やサービスを受けられるデータ送受信システムが記載されている。また、一定の広がりを有するエリア内に入ったか否かをＧＰＳ等の位置情報によって識別し、識別結果に応じてサービスを行ったりサービスの管理や制御を行うシステムも既知である（例えば、特許文献２）。
【０００３】
しかし、特許文献１のシステム場合、バーチャルな店舗等へのアクセスに利用はできるが、実店舗への集客には、直接には結びつかない。また、特許文献２のシステム場合、ＧＰＳやセルの位置情報では位置の特定精度に限界があり、また、ビル内や地下での絶対的位置の特定には使用できないという問題があった。
【先行技術文献】
【特許文献】
【０００４】
【特許文献１】特開２００２−２０７９０７号公報
【特許文献２】特開２００８−１９８１２０公報
【発明の概要】
【発明が解決しようとする課題】
【０００５】
本発明は上記の問題点を解消し、簡単な方法で位置精度が高く、多様なサービスを行い得るシステムを提供することを目的とする。
【課題を解決するための手段】
【０００６】
本発明者は以下のシステムにより、上記課題が解決されることを見出し、本発明を完成させるに至った。すなわち、
［１］携帯端末に記録されたプログラムを実行するか、特定のサイトにアクセスした際にサイト上のプログラムを実行するシステムにおいて、携帯端末の端子に接続可能なデバイスをさらに含み、携帯端末の端子に前記デバイスが挿入された際に、前記システムが前記デバイスに記憶されたデジタルデータを読み取り、前記携帯端末に記録されたプログラム及び／またはサイト上のプログラムにおいて前記デジタルデータに応じたサービスを提供することを特徴とするシステム。
［２］前記端子が携帯端末のフォーンジャックであり、前記デジタルデータが、前記デバイスを特定する識別データである請求項１に記載のシステム。
【０００７】
［３］前記識別データが絶対的な位置情報と結び付けられている請求項２に記載のシステム。
［４］識別データに対応したサービスを提供するシステム、アクセス制御システム、サービス管理システム、識別データを用いたプログラム制御、識別データを用いたアイテム付与または決済／ポイントシステムである請求項１〜３のいずれかに記載のシステム。
【発明の効果】
【０００８】
本発明は、簡単なデバイスの使用により、位置精度が高く、多様なサービスを行い得るシステムを提供する。
【発明を実施するための形態】
【０００９】
以下、本発明の実施形態につき図面を参照して説明する。
【００１０】
本発明は、携帯端末に記録されたプログラムを実行するか、特定のサイトにアクセスした際にサイト上のプログラムを実行するシステムにおいて、携帯端末の端子に接続可能なデバイスをさらに含み、携帯端末の端子に前記デバイスが挿入された際に、前記システムが前記デバイスに記憶されたデジタルデータを読み取り、前記携帯端末に記録されたプログラム及び／またはサイト上のプログラムにおいて前記デジタルデータに応じたサービスを提供することを特徴とするシステムに関する。
【００１１】
本発明において、携帯端末とは、携帯可能であって、通信機能を有し、プログラムを実行可能な機器を指す。スマートホン、携帯電話、タブレット、ノートパソコン等を含むが、これらに限定されるものではなく、既存の、または将来、開発される前記機能を有する機器をすべて含む。
【００１２】
携帯端末の端子とは、物理的な接続を通じて携帯端末と電気信号の授受が可能な電気的な接続部である。典型的には携帯端末のフォーンジャックであるが、携帯端末に容易に抜き差し可能な端子であれば限定されず、電源端子、USB端子、画像入出力端子その他のデータ入出力端子でもよい。既存の端子のほか、将来的に携帯端末に具備されるであろう端子を含む。
【００１３】
なお、フォーンジャックとは、一般に携帯端末においてイヤホンジャック及び／またはマイクジャックとして備えられているもので、イヤホンプラグ及び／またはマイクプラグを挿入することにより、外部のイヤホン及び／またはマイクと携帯端末とを電気的に接続し、音声信号を送受するものである。一般的には２極（モノラル入出力）あるいは３極（ステレオ入出力）の接続で用いられる。現在、EIA-453として規格化されている形状を有するが、本発明では、これら２極、３極の既存のフォーンジャック及び携帯端末で持ち得るｎ極（ｎは任意の数）のフォーンジャック並びに将来的に開発されるであろう音声入出力用端子を含む。
【００１４】
本発明において、デバイスは前記端子に接続可能な接続部とデータ及び／またはプログラム記憶部を含み、携帯端末との接続時に、記憶したデータ及び／またはプログラムの一部または全部を携帯端末に送り得る電子装置をいう。その形状や大きさなどは特に限定されないが、例えば、円柱状、角柱状、円錐状、角錐状、球形その他の任意の形状の本体とプラグ部を含むデバイスが挙げられる。本体部はデータ及び／またはプログラム記憶部及び／またはプログラム実行部を含む電子回路を樹脂封止等により保護し本体から突出したプラグと電気的に接続した構造を含み、プラグは携帯端末のイヤホンジャックに挿入して用い得るものである。本体はさらに電波や赤外線・超音波等の送受信部やセンサー、カードリーダー等を含んでもよい。
【００１５】
本発明のシステムにおいて、このデバイスは、携帯端末利用者に配布または貸与される。
【００１６】
携帯端末に記録されたプログラムまたは特定のサイトにアクセスした際に実行されるサイト上のプログラムは特に限定されない。また、デバイスに記録されたデジタルデータ及び／またはプログラムも特に限定されないが、前記デジタルデータが前記デバイスを特定する識別データ（ＩＤ）を含むことが好ましく、さらに、識別データが絶対的な位置情報と結び付けられていることが好ましい。ここで、「絶対的な位置情報と結び付けられている」とは、デバイスが携帯端末利用者に配布または貸与される場所がデバイスの物理的な存在場所で特定されるという意味である。この場所の特定は、ＧＰＳなどによる位置識別とは異なり、建物内や地下でも可能であるし、また、ショッピングセンター内の店舗、さらには店舗内の特定位置（例えば、飲食店における座席）の識別も可能である。このような識別は、デバイスからの識別情報を予め記憶させたデータベースの連動により行ってもよいし、識別データから店舗や施設を特定できるような計算式を設計してもよい。
【００１７】
本発明で提供されるサービスは、動作的には特に限定されるものではなく以下を含む。
（１）携帯端末に記録されたプログラムと識別データのみで動作可能なサービス
（２）特定のサイトなどに通信を行い、その際に識別データを用いて動作を行うことを特徴とするサービス
【００１８】
（１）の例としては、識別データを用いた「くじ」、おみくじ、占いなどのシステムが挙げられる。（２）の例としては、識別データを用いたサイトなどへのアクセス制御、サービス管理などのシステムが挙げられる。両者に用い得るものとして識別データを用いたプログラム制御、識別データを用いたアイテム付与、決済／ポイントシステム等も含まれる。
【００１９】
前述のように、本発明では、絶対的な位置情報により、携帯端末が特定のサイトにアクセスした際に、サイトにより提供されるサービスを識別及び／または管理することが可能であり、これを用いれば、特定の店舗や施設内でのサービス、特定の座席などにおけるサービスの提供や管理が可能である。なお、本発明において、サイトとは上述のようなサービスを提供し得るwebサーバーを言い、単一であるか複合的であるかどうかを問わない。
【００２０】
［実施形態］
以下、本発明におけるシステムをいくつかの実施形態を例として説明するが、本発明はこれらに限定されるものではない。
【００２１】
実施例１―くじシステム
実施例１のシステムにおいては、デバイスはデジタルデータとして一定の識別情報（ＩＤ）を含む。また、携帯端末には、一定の規則に従って、くじの当選／はずれやくじの当選クラスを決定するプログラム（以下、「アプリケーション」という）がインストールされる。
【００２２】
例えば、デバイスのプラグが携帯端末のフォーンジャックに挿入されると、前記アプリケーションが起動する。アプリケーションは、ジャック−プラグ接続を通してデバイスに識別情報の送信を求め、デバイスはアプリケーションに識別情報を送信し、これを受信したアプリケーションは、前記一定の規則に応じてくじの当選／はずれやくじの当選クラスを決定し、携帯端末の画面上に結果を表示する。
【００２３】
このくじシステムは、例えば、実店舗において、来店客全員、あるいは一定の属性の顧客、あるいは一定数量または価格以上の商品を購入した顧客などに対し、前記デバイスを配布し、デバイスとアプリケーションの連携によるくじを実行する（さらには景品を提供する）。これにより業種を問わず実店舗への集客促進に利用できる。  景品を伴わないおみくじや占いに用いてもよい。アプリケーションは前記識別情報に加え、利用者にさらなる情報（例えば、性別、年齢、誕生月等）の入力を求め、それと前記識別情報を組み合わせてくじの結果を決定してもよい。
【００２４】
なお、上記システムはさまざまなバリエーションを含み得る。
例えば、フォーンジャックへの挿入とアプリケーションの起動は連動していなくてもよく、利用者がアプリケーションを立ち上げた状態でデバイスをフォーンジャックに挿入するものでもよい。また、その際、アプリケーションからの送信要求を待つことなくデバイスが識別情報を送信するものでもよい。
【００２５】
さらにまた、上記の態様ではデバイスとアプリケーションのみで動作可能であり、通信を必要としないが、特定のサイトにアクセスし、当該サイト上のプログラムにおいて、くじなどを実行することも可能である。これにより、サイト側で利用者情報を収集することも可能となる。
【００２６】
実施例２―アクセス制御システム
携帯端末にインストールされるアプリケーションまたはサイト上のプログラム（以下、両者を合わせて単にプログラムという）は、デバイスの識別情報（ＩＤ）に基づき、利用者のアクセスの許可／拒否を決定するプログラムとしてもよい。すなわち、プログラムは、アクセスを許可する場合は携帯端末において一定のサイトや情報へのアクセスを可能とし、あるいは携帯端末の画面に所定の表示を行う。
【００２７】
このシステムにより、例えば、多数の顧客が集まる施設において、顧客の等級などに応じて情報アクセスやサービスに差異を設けることが可能となる。
このシステムは、さまざまなバリエーションを含み得る。
【００２８】
例えば、識別情報を特定の店舗や施設と結びつけた場合、各店舗や施設においてデバイスを顧客に配布または貸与し、顧客が店舗または企業サイトにアクセスした際には、デバイスからの識別情報によって、サイトでは、顧客がどの店舗や施設に来店しているかが判別できる。これにより、プログラムを通じて、当該店舗や施設独自のサービスを案内したりクーポンを発行することが可能になる。
【００２９】
また、宝探しゲームのようなイベントにおいて、所定の場所に到達した際に前記デバイスを配布し、これによってイベントサイトにアクセスした際に、次のステップに進むヒントを得るアイテムとして利用することもできる。
【００３０】
実施例３―サービス管理システム
デバイスの識別情報は、店舗内の座席など、非常に狭い位置を特定できるものとしてもよい。
【００３１】
例えば、来店客に座席番号と一対一に対応するデバイスを配布する。
顧客は、デバイスを自分の携帯端末に挿入し、店舗サイトまたは企業サイトに接続する。この場合、サイトでは顧客のいる店舗だけでなく来店時間と座席を識別できる。従って、携帯端末にインストールされるアプリケーションまたはサイト上のプログラム（以下、両者を合わせて単にプログラムという）として、サービスメニューを提供する機能を有するものとすれば、顧客が携帯電話を通じて注文し、サイトでは、顧客の注文を特定の店舗の特定の座席と結びつけることが可能である。注文を受けたサイトでは、当該店舗の厨房やフロアの店員に注文を送信し、これにより、当該店舗では顧客に対し注文に応じた商品を提供する。会計時には注文データとその合計額が会計装置に送られ、顧客への請求がなされる。会計が済むとデバイスは店舗に返却され、当該顧客に対する記録は閉じられ、デバイスは新たな顧客に配布される。
【００３２】
デバイスになんらかの発信手段またはRFIDのような応答手段を設ければ、顧客が代金を支払わずに退店するのを防止できるし、確実にデバイスを回収できる。
【００３３】
実施例４―識別データを用いたアイテム付与
デバイスはゲームのアイテム付与としても用いることができる。例えば、デバイス内に含まれるデジタルデータが、オンラインまたはオフラインのゲームで使用されるアイテムのデータであってもよい。ここで、アイテムのデータは、例えば、画面に表示される画像データやそのアイテムの属性や特性値を含むものでもよいし、データ自体はＩＤであり、携帯端末がオンラインのサイトに接続した際に、サイトのデータベースを介して特定のアイテムと関連付けられるものでもよい。
【００３４】
こうしたアイテムは、例えば、デバイスをジャックに挿入した場合に限って機能するものでもよい。この場合、携帯端末内のプログラムまたは携帯端末を介したサイト上のプログラムがジャック上のデバイスの有無及びそのＩＤ等を調べ、それが所定の条件に適合するときはプログラム中においてアイテムを存在させ、ジャックからデバイスが抜かれたときはプログラム中においてアイテムを消去する。
【００３５】
あるいは、アイテムはデバイスをジャックに挿入した際に、見かけ上、デバイスから携帯端末に移動するものでもよい。これは例えば、デバイスをジャックに挿入した場合に、携帯端末内のプログラムまたは携帯端末を介したサイト上のプログラムがジャック上のデバイスの有無及びそのＩＤ等を調べ、それが所定の条件に適合するときはプログラム中においてアイテムを存在させ、デバイス中のデータを消去するかＩＤその他の値を変更する。逆に、アイテムは携帯端末から見かけ上、デバイスに移行可能としてもよい。すなわち、携帯端末内のプログラムまたは携帯端末を介したサイト上のプログラムの操作により、携帯端末に見かけ上移行したアイテムについてのデータを消去するかＩＤその他の値を変更し、デバイス中にデータを生成するかＩＤその他の値を変更する。
これにより、デバイスにアイテムが化体したのと同じ状況を発生させることが可能であり、デバイスという物理的実体を介してアイテムの流通を行うことができる。
【００３６】
実施例５―識別データを用いたプログラム制御
デバイスはプログラム制御手段としても用いることができる。例えば、デバイス内が挿入されているかに従って、携帯端末内のプログラムまたは携帯端末を介したサイト上のプログラムの実行を許可する。
【００３７】
このような制御は、携帯端末内のプログラムまたは携帯端末を介したサイト上のプログラムからデバイスの挿入を確認し、その結果に応じてプログラムの進行を制御すればよい。プログラムの制御はプログラム実行の可否を単純に決めるのでもよいし、一定時間だけ許可するのでもよい。
【００３８】
これにより、例えば、子どもなどに対し、一定時間しかゲームができないように上限を設定できる。
【００３９】
また、デバイスを特定の場所に物理的に固定しておき、その場においてのみあるプログラムが実行できるようにしてもよい。例えば、観光地などで複数の箇所にこのようなデバイスを設置し、それぞれの箇所に行ってデバイスを挿入することによるそれぞれの箇所で所定のプログラムが実行されることによる言わばスタンプラリーのような構成を含む。あるいは、映画やアニメーションなどにゆかりの土地にこのようなデバイスを設置し、それぞれの箇所に行ってデバイスを挿入することにより、それぞれ特定の画像や動画を得たり、見ることができたり、デバイス挿入時にしかプログラムを通じた書き込みやイベントなどができないという構成が含まれる。
【００４０】
もちろん、上記においても種々のバリエーションは可能であり、デバイス挿入時にしかプログラムを通じた書き込みやイベントなどはできないが、その結果の閲覧は可能とする態様も含まれる。また、その結果が携帯端末内または携帯端末を介してサイト上に記録され、一定の時間をおいて二度目、三度目には別の画像や動画を得たり、見ることができたり、プログラムを通じた書き込みやイベントなどができるという構成が含まれる。
【００４１】
実施例６―決済／ポイントシステム
デバイスは種々のセンサー、通信装置、その他の機器を有してもよい。
例えば、デバイスがカードリーダーを備えたり、カードリーダーと接続していてもよい。
【００４２】
これにより、デバイスを挿入した状態でＳＵＩＣＡなどのカードを読みこんだり、チャージしたり、書き込んだりすることが可能である。こうした操作は金銭的な決済のほか、ポイントカードシステムにおけるポイントの操作にも用いることが可能である。
カードリーダーやカードリーダーとの通信仕様は様々に設計可能であり、デバイスの挿入の有無とデバイス内機器との通信を行う点にこの態様の特徴がある。
【産業上の利用可能性】
【００４３】
本発明によれば、簡単なデバイスの使用により、位置精度が高く、特定の物理的場所と結び付けた多様なサービスを行い得るシステムが提供される。